【手続補正書】
【提出日】平成21年1月16日(2009.1.16)
【手続補正１】
【補正対象書類名】明細書
【補正対象項目名】０１２４
【補正方法】変更
【補正の内容】
【０１２４】
また、ステップＳ３０６では、イメージセンサ８上の欠陥Ｄ１、欠陥Ｄ３と判定された画素からそれぞれ移動量Ｓslm、移動量Ｓw、移動量Ｓrとなる画素の検出値（Ｐion-1slm、Ｐion-1w、Ｐion-1r）を取得する。なお、移動量Ｓslm、Ｓw、Ｓrについては、設定されたチルトミラー１１の傾斜角度とイメージセンサ８からＳＬＭ１２、対物レンズ４、エキスパンダレンズ７までの各距離とによって求めることができる。
そして、続くステップＳ３０７では、このようにして取得した検出値（Ｐion-1slm、Ｐion-1w、Ｐion-1r）を画素位置対応に保持する。これら検出値Ｐion-1slm、Ｐion-1w、Ｐion-1rは、それぞれ欠陥Ｄ１画素、欠陥Ｄ３画素と同一光軸上に生じている可能性のあるＳＬＭ１２の画素欠陥、記録側の像欠陥Ｇw、再生側の像欠陥Ｇrの有無について判定を行うために必要な検出値となる。
なお、前述の動作説明からも理解されるように、欠陥Ｄ３と判定された画素についてはイメージセンサ８の画素欠陥（つまり再生側の欠陥）は確定となり、欠陥発生態様の別の特定の観点からは、あとは記録側の欠陥の有無（つまりＳＬＭ１２の画素欠陥の有無、記録側の像欠陥Ｇwの有無）が判定されれば足るものである。従って上記ステップＳ３０６においては、欠陥Ｄ３についての再生側の像欠陥Ｇrの有無を判定するための、欠陥Ｄ３画素から移動量Ｓrとなる画素の検出値の取得は不要とすることができる。
【手続補正２】
【補正対象書類名】明細書
【補正対象項目名】０１２５
【補正方法】変更
【補正の内容】
【０１２５】
続いて、ステップＳ３０８においては、ＳＬＭ１２の全画素をbit０に設定するための処理を行う。そしてステップＳ３０９においては、イメージセンサ８上の欠陥Ｄ１、欠陥Ｄ３と判定された画素から移動量Ｓslmとなる画素の検出値（Ｐion-0slm）を取得する。さらに続くステップＳ３１０では、検出値（Ｐion-0slm）を画素位置対応に保持する。この検出値Ｐion-0slmは、ＳＬＭ１２の画素欠陥の有無について判定するために必要な値となる。
【手続補正３】
【補正対象書類名】明細書
【補正対象項目名】０１３０
【補正方法】変更
【補正の内容】
【０１３０】
ステップＳ４０５では、検出値Ｐion-1slmがbit１であるか否かについて判別処理を行う。すなわち、先のステップＳ４０２にて選択した欠陥Ｄ１画素から移動量Ｓslmとなる画素における、ＳＬＭ１２でbit１の変調をかけた際の検出値が、bit１となっているか否かについて判別を行う。
検出値Ｐion-1slmがbit１であるとして肯定結果が得られた場合は、ステップＳ４０６において、今度は検出値Ｐion-0slmがbit０であるか否かについて判別を行う。すなわち、ステップＳ４０２にて選択した欠陥Ｄ１画素から移動量Ｓslmとなる画素における、ＳＬＭ１２でbit０の変調をかけた際の検出値がbit０となっているか否かについて判別を行う。
そして、このステップＳ４０６において、検出値Ｐion-0slmがbit０であるとして肯定結果が得られた場合は、bit１の変調に対してはbit１が、またbit０の変調に対してはbit０が得られたことになるので、ＳＬＭ１２の画素欠陥が生じていないことが判明する。従ってその場合は、図示するようにしてそのままステップＳ４０８に処理を進めるようにされる。
【手続補正４】
【補正対象書類名】明細書
【補正対象項目名】０１３１
【補正方法】変更
【補正の内容】
【０１３１】
一方、ステップＳ４０５において検出値Ｐion-1slmがbit１ではないとして否定結果が得られた場合、またはステップＳ４０６にて検出値Ｐion-0slmがbit０ではないとして否定結果が得られた場合は、それぞれＳＬＭ１２の該当する画素がbit０で固定、又はbit１で固定となっていることが判明するので、これらの場合は図示するようにしてステップＳ４０７に進み、ＳＬＭ１２の画素欠陥であると判定する。そしてその後、ステップＳ４０８に進むようにされる。
【手続補正５】
【補正対象書類名】明細書
【補正対象項目名】０１３２
【補正方法】変更
【補正の内容】
【０１３２】
ステップＳ４０８〜Ｓ４１１では、再生側の像欠陥Ｇr、記録側の像欠陥Ｇwの有無判定のための処理を行うようにされる。
先ずステップＳ４０８では、検出値Ｐion-1rがbit１であるか否かについて判別処理を行う。すなわち、ステップＳ４０２にて選択した欠陥Ｄ１画素から移動量Ｓrとなる画素において、ＳＬＭ１２でbit１の変調をかけたときに得られた検出値がbit１となっているか否かについて判別する。このステップＳ４０８において、検出値Ｐion-1rがbit１ではないとして否定結果が得られたということは、再生側の像欠陥Ｇrがあったことが判明する。このため、その場合はステップＳ４０９において再生側の像欠陥Ｇrがったとの判定を行う。そしてその後、ステップＳ４１０に進むようにされる。
一方、ステップＳ４０８において検出値Ｐion-1rがbit１であるとして肯定結果が得られた場合は、再生側の像欠陥Ｇrはないことが判明するので、そのまま次のステップＳ４１０に処理を進めるようにされる。
【手続補正６】
【補正対象書類名】明細書
【補正対象項目名】０１３３
【補正方法】変更
【補正の内容】
【０１３３】
ステップＳ４１０では、検出値Ｐion-1wがbit１であるか否かについて判別処理を行う。すなわち、ステップＳ４０２にて選択した欠陥Ｄ１画素から移動量Ｓwとなる画素において、ＳＬＭ１２でbit１の変調をかけたときに得られた検出値がbit１となっているか否かについて判別する。このステップＳ４１０において、検出値Ｐion-1wがbit１ではないとして否定結果が得られた場合は、記録側の像欠陥Ｇwがあったことが判明するので、ステップＳ４１１において記録側の像欠陥Ｇwがあったとの判定を行う。そしてその後、ステップＳ４１２に進むようにされる。
一方、ステップＳ４１０において検出値Ｐion-1wがbit１であるとして肯定結果が得られた場合は、記録側の像欠陥Ｇwはないことが判明するので、そのまま次のステップＳ４１２に処理を進めるようにされる。
【手続補正７】
【補正対象書類名】明細書
【補正対象項目名】０１３８
【補正方法】変更
【補正の内容】
【０１３８】
続くステップＳ５０４では、検出値Ｐion-1slmがbit１であるか否かについて判別処理を行う。すなわち、先のステップＳ５０２にて選択した欠陥Ｄ３画素から移動量Ｓslmとなる画素における、ＳＬＭ１２でbit１の変調をかけた際の検出値がbit１となっているか否かについて判別を行う。
検出値Ｐion-1slmがbit１であるとして肯定結果が得られた場合は、ステップＳ５０５において、今度は検出値Ｐion-0slmがbit０であるか否かについて判別を行う。すなわち、ステップＳ５０２にて選択した欠陥Ｄ３画素から移動量Ｓslmとなる画素における、ＳＬＭ１２でbit０の変調をかけた際の検出値がbit０となっているか否かについて判別を行う。  そして、このステップＳ５０５において、検出値Ｐion-0slmがbit０であるとして肯定結果が得られた場合は、bit１の変調に対してはbit１が、またbit０の変調に対してはbit０が得られたことになるので、ＳＬＭ１２の画素欠陥が生じていないことが判明する。従ってその場合は、図示するようにしてそのままステップＳ５０７に処理を進めるようにされる。
【手続補正８】
【補正対象書類名】明細書
【補正対象項目名】０１３９
【補正方法】変更
【補正の内容】
【０１３９】
一方、ステップＳ５０４にて検出値Ｐion-1slmがbit１ではないとして否定結果が得られた場合、またはステップＳ５０５にて検出値Ｐion-0slmがbit０ではないとして否定結果が得られた場合は、それぞれＳＬＭ１２の該当する画素がbit０で固定、又はbit１で固定となっていることが判明するので、これらの場合は図示するようにしてステップＳ５０６に進み、ＳＬＭ１２の画素欠陥であると判定した後、ステップＳ５０７に進むようにされる。
【手続補正９】
【補正対象書類名】明細書
【補正対象項目名】０１４０
【補正方法】変更
【補正の内容】
【０１４０】
ステップＳ５０７では、検出値Ｐion-1wがbit１であるか否かについて判別処理を行う。すなわち、ステップＳ５０２にて選択した欠陥Ｄ３画素から移動量Ｓwとなる画素において、ＳＬＭ１２でbit１の変調をかけたときに得られた検出値がbit１となっているか否かについて判別する。このステップＳ５０７において、検出値Ｐion-1wがbit１ではないとして否定結果が得られた場合は、記録側の像欠陥Ｇwがあったことが判明するので、ステップＳ５０８において記録側の像欠陥Ｇwがあったとの判定を行う。そしてその後、ステップＳ５０９に進むようにされる。
一方、ステップＳ５０７において検出値Ｐion-1wがbit１であるとして肯定結果が得られた場合は、記録側の像欠陥Ｇwはないことが判明するので、そのまま次のステップＳ５０９に処理を進めるようにされる。